【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
物体側より像側へ順に配置された、負の屈折力の第１レンズ群、正の屈折率の第２レンズ群、正の屈折力の第３レンズ群より構成され、ズーミングに際して隣り合うレンズ群の間隔が変化するズームレンズにおいて、
前記第２レンズ群は複数のレンズを有し、前記第２レンズ群の最も像側には、負レンズと、該負レンズの像側に配置された正レンズとを接合した接合レンズＧＲｂ２が配置されており、
前記接合レンズＧＲｂ２の物体側のレンズ面の曲率半径をＲｂ２ｏｂｊ、像側のレンズ面の曲率半径をＲｂ２ｉｍｇ、前記接合レンズＧＲｂ２の焦点距離をｆ２ｂｉｍｇ、前記第２レンズ群の焦点距離をｆ２とするとき、
１．６５＜（Ｒｂ２ｏｂｊ＋Ｒｂ２ｉｍｇ）／（Ｒｂ２ｏｂｊ−Ｒｂ２ｉｍｇ）＜５０．００
１．０＜ｆ２ｂｉｍｇ／ｆ２＜１０．０
なる条件式を満たすことを特徴とするズームレンズ。
【請求項２】
前記接合レンズＧＲｂ２に含まれる負レンズの物体側のレンズ面の曲率半径をＲｂ２ｎ＿ｏｂｊ、像側のレンズ面の曲率半径をＲｂ２ｎ＿ｉｍｇとするとき、
−４．５＜（Ｒｂ２ｎ＿ｏｂｊ＋Ｒｂ２ｎ＿ｉｍｇ）／（Ｒｂ２ｎ＿ｏｂｊ−Ｒｂ２ｎ＿ｉｍｇ）＜０．２
なる条件式を満たすことを特徴とする請求項１に記載のズームレンズ。
【請求項３】
広角端から望遠端へのズーミングにおける前記第２レンズ群の移動量をＭ２、広角端から望遠端へのズーミングにおける前記第３レンズ群の移動量をＭ３とするとき、
−１８．０＜Ｍ２／Ｍ３＜−７．０
なる条件式を満たすことを特徴とする請求項１又は２に記載のズームレンズ。
【請求項４】
前記第３レンズ群の焦点距離をｆ３とするとき、
０．３０＜ｆ２／ｆ３＜０．６５
なる条件式を満たすことを特徴とする請求項１乃至３のいずれか１項に記載のズームレンズ。
【請求項５】
前記第２レンズ群は、物体側から像側へ順に配置された、正レンズ、正レンズと負レンズを接合した接合レンズＧＲａ２、負レンズと正レンズを接合した接合レンズＧＲｂ２より構成されることを特徴とする請求項１乃至４のいずれか１項に記載のズームレンズ。
【請求項６】
前記接合レンズＧＲａ２に含まれる負レンズの物体側のレンズ面の曲率半径をＲａ２ｎ＿ｏｂｊ、像側のレンズ面の曲率半径をＲａ２ｎ＿ｉｍｇとするとき、
０．２＜（Ｒａ２ｎ＿ｏｂｊ＋Ｒａ２ｎ＿ｉｍｇ）／（Ｒａ２ｎ＿ｏｂｊ−Ｒａ２ｎ＿ｉｍｇ）＜１．２
なる条件式を満足することを特徴とする請求項５に記載のズームレンズ。
【請求項７】
前記接合レンズＧＲｂ２に含まれる正レンズの物体側のレンズ面の曲率半径をＲｂ２ｐ＿ｏｂｊ、像側のレンズ面の曲率半径をＲｂ２ｐ＿ｉｍｇとするとき、
０．０１＜（Ｒｂ２ｐ＿ｏｂｊ＋Ｒｂ２ｐ＿ｉｍｇ）／（Ｒｂ２ｐ＿ｏｂｊ−Ｒｂ２ｐ＿ｉｍｇ）＜２．５０
なる条件式を満足することを特徴とする請求項５又は６に記載のズームレンズ。
【請求項８】
前記接合レンズＧＲａ２の負レンズは前記接合レンズＧＲａ２の正レンズの像側に配置され、
前記接合レンズＧＲａ２の負レンズの像側のレンズ面の曲率半径をＲａ２ｎ＿ｉｍｇ、前記接合レンズＧＲｂ２の負レンズの物体側のレンズ面の曲率半径をＲｂ２ｎ＿ｏｂｊとするとき、
−１．０＜（Ｒａ２ｎ＿ｉｍｇ＋Ｒｂ２ｎ＿ｏｂｊ）／（Ｒａ２ｎ＿ｉｍｇ−Ｒｂ２ｎ＿ｏｂｊ）＜−０．３
なる条件式を満足することを特徴とする請求項５乃至７のいずれか１項に記載のズームレンズ。
【請求項９】
前記第１レンズ群の最も物体側には、負レンズＧ１ｎが配置されており、前記負レンズＧ１ｎの物体側のレンズ面の曲率半径をＲＧ１ｏｂｊ、像側のレンズ面の曲率半径をＲＧ１ｉｍｇとするとき、
０．４＜（ＲＧ１ｏｂｊ＋ＲＧ１ｉｍｇ）／（ＲＧ１ｏｂｊ−ＲＧ１ｉｍｇ）＜１．０なる条件式を満足することを特徴とする請求項１乃至８のいずれか１項に記載のズームレンズ。
【請求項１０】
広角端における有効像円径が望遠端における有効像円径よりも小さいことを特徴とする請求項１乃至９のいずれか１項に記載のズームレンズ。
【請求項１１】
請求項１乃至１０のいずれか１項に記載のズームレンズと該ズームレンズによって形成された像を受光する撮像素子を有することを特徴とする撮像装置。
【手続補正２】
【補正対象書類名】明細書
【補正対象項目名】００１０
【補正方法】変更
【補正の内容】
【００１０】
本発明のズームレンズは、物体側より像側へ順に配置された、負の屈折力の第１レンズ群、正の屈折率の第２レンズ群、正の屈折力の第３レンズ群より構成され、ズーミングに際して隣り合うレンズ群の間隔が変化するズームレンズにおいて、
前記第２レンズ群は複数のレンズを有し、前記第２レンズ群の最も像側には、負レンズと、該負レンズの像側に配置された正レンズとを接合した接合レンズＧＲｂ２が配置されており、
前記接合レンズＧＲｂ２の物体側のレンズ面の曲率半径をＲｂ２ｏｂｊ、像側のレンズ面の曲率半径をＲｂ２ｉｍｇ、前記接合レンズＧＲｂ２の焦点距離をｆ２ｂｉｍｇ、前記第２レンズ群の焦点距離をｆ２とするとき、
１．６５＜（Ｒｂ２ｏｂｊ＋Ｒｂ２ｉｍｇ）／（Ｒｂ２ｏｂｊ−Ｒｂ２ｉｍｇ）＜５０．００
１．０＜ｆ２ｂｉｍｇ／ｆ２＜１０．０
なる条件式を満たすことを特徴としている。
【手続補正３】
【補正対象書類名】明細書
【補正対象項目名】００１３
【補正方法】変更
【補正の内容】
【００１３】
以下に、本発明の好ましい実施の形態を、添付の図面に基づいて詳細に説明する。本発明のズームレンズは、物体側より像側へ順に配置された負の屈折力の第１レンズ群、正の屈折率の第２レンズ群、正の屈折力の第３レンズ群より構成される。そしてズーミングに際して隣り０合うレンズ群の間隔が変化する。
【手続補正４】
【補正対象書類名】明細書
【補正対象項目名】００１４
【補正方法】変更
【補正の内容】
【００１４】
図１は実施例１のズームレンズの広角端（短焦点距離端）におけるレンズ断面図である。図２（Ａ）、（Ｂ）、（Ｃ）はそれぞれ実施例１のズームレンズの広角端、中間焦点距離、望遠端（長焦点距離端）における収差図である。実施例１はズーム比２．８８、開口比２．０６〜４．９０、広角端における撮影半画角３２．３４度程度のズームレンズである。
【手続補正５】
【補正対象書類名】明細書
【補正対象項目名】００２０
【補正方法】変更
【補正の内容】
【００２０】
図１３は本発明の撮像装置の要部概略図である。各実施例のズームレンズはビデオカメラやデジタルカメラ等の撮像装置に用いられる撮像光学系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＳＰはＦナンバー光束を制限する開口絞りである。ＦＰは有害光をカットするフレアーカット絞りである。
【手続補正６】
【補正対象書類名】明細書
【補正対象項目名】００３３
【補正方法】変更
【補正の内容】
【００３３】
そして第２レンズ群Ｌ２は複数のレンズを有し、第２レンズ群Ｌ２の最も像側には、負レンズと、該負フレンズの像側に配置された正レンズとを接合した接合レンズＧＲｂ２が配置されている。そして接合レンズＧＲｂ２の物体側のレンズ面の曲率半径をＲｂ２ｏｂｊ、像側のレンズ面の曲率半径をＲｂ２ｉｍｇ、接合レンズＧＲｂ２の焦点距離をｆ２ｂｉｍｇ、第２レンズ群の焦点距離をｆ２とする。このとき、
１．６５＜（Ｒｂ２ｏｂｊ＋Ｒｂ２ｉｍｇ）／（Ｒｂ２ｏｂｊ−Ｒｂ２ｉｍｇ）＜５０．００                                                              ・・・（１）
１．０＜ｆ２ｂｉｍｇ／ｆ２＜１０．０                          ・・・（２）
なる条件式を満たしている。
【手続補正７】
【補正対象書類名】明細書
【補正対象項目名】００３９
【補正方法】変更
【補正の内容】
【００３９】
各実施例において好ましくは次の条件式のうち１つ以上を満足するのが良い。接合レンズＧＲｂ２に含まれる負レンズの物体側のレンズ面の曲率半径をＲｂ２ｎ＿ｏｂｊ、像側のレンズ面の曲率半径をＲｂ２ｎ＿ｉｍｇとする。広角端から望遠端へのズーミングにおける第２レンズ群Ｌ２の移動量をＭ２、広角端から望遠端へのズーミングにおける第３レンズ群Ｌ３の移動量をＭ３とする。ここで移動量の符号は広角端から望遠端へのズーミングによって移動した結果、その位置が広角端に比べて望遠端において物体側に位置するときを正、像側に位置するときを負とする。
【手続補正８】
【補正対象書類名】明細書
【補正対象項目名】００４０
【補正方法】変更
【補正の内容】
【００４０】
第２レンズ群Ｌ２の焦点距離をｆ２、第３レンズ群Ｌ３の焦点距離をｆ３とする。第２レンズ群Ｌ２は物体側から像側へ順に、正レンズ、正レンズと負レンズを接合した接合レンズＧＲａ２、負レンズと正レンズを接合した接合レンズＧＲｂ２より構成される。接合レンズＧＲａ２の負レンズは接合レンズＧＲａ２の正レンズの像側に配置されている。このとき接合レンズＧＲａ２に含まれる負レンズの物体側のレンズ面の曲率半径をＲａ２ｎ＿ｏｂｊ、像側のレンズ面の曲率半径をＲａ２ｎ＿ｉｍｇとする。第１レンズ群Ｌ１の最も物体側には、負レンズＧ１ｎが配置されており、負レンズＧ１ｎの物体側のレンズ面の曲率半径をＲＧ１ｏｂｊ、像側のレンズ面の曲率半径をＲＧ１ｉｍｇとする。
【手続補正９】
【補正対象書類名】明細書
【補正対象項目名】００６８
【補正方法】変更
【補正の内容】
【００６８】
各種データ
ズーム比     2.88 
焦点距離      10.40    15.85    30.00   
Fナンバー      2.06     3.75     4.90    
半画角（度）  32.34    26.49    14.75    
レンズ全長    51.68    49.51    55.25     
BF             7.45     6.18     5.03     
d 4           17.46     6.72     1.44   
d 6            0.00     2.63    -0.18    
d15            7.77    14.97    29.95    
d17            5.12     3.85     2.70    
レンズ群データ
群  始面    焦点距離  
1    1     -21.26     
2    7      17.13       
3   16      32.89       
接合レンズGRb2の焦点距離
f2bimg   41.49
【手続補正１０】
【補正対象書類名】明細書
【補正対象項目名】００７１
【補正方法】変更
【補正の内容】
【００７１】
各種データ
ズーム比     2.89 
広角     中間     望遠
焦点距離      10.38    15.05    30.00  
Fナンバー      2.06     3.75     4.90  
半画角（度）  32.40    27.69    14.76  
レンズ全長    50.49    48.87    55.36  
BF             7.58     6.46     5.21  
d 4           16.72     8.04     1.41  
d 6            0.00     1.79    -0.06  
d15            7.42    13.79    30.02  
d17            5.20     4.09     2.84  
ズームレンズ群データ
群  始面    焦点距離  
1    1     -20.83    
2    7      16.91     
3   16      31.28     
接合レンズGRb2の焦点距離
f2bimg   45.50
【手続補正１１】
【補正対象書類名】明細書
【補正対象項目名】００７４
【補正方法】変更
【補正の内容】
【００７４】
各種データ
ズーム比     2.89 
広角     中間     望遠
焦点距離      10.39    15.11    30.00  
Fナンバー      2.06     3.75     5.00  
半画角（度）  32.37    27.61    14.75  
レンズ全長    50.42    48.64    55.22  
BF             7.58     6.66     5.49  
d 4           16.85     7.99     1.48  
d 6            0.00     1.83    -0.03  
d15            7.14    13.31    29.43  
d17            5.21     4.29     3.12  
レンズ群データ
群  始面    焦点距離 
1    1     -20.93   
2    7      16.81      
3   16      30.81      
接合レンズGRb2の焦点距離
f2bimg   64.78
【手続補正１２】
【補正対象書類名】明細書
【補正対象項目名】００７７
【補正方法】変更
【補正の内容】
【００７７】
各種データ
ズーム比     2.86 
広角     中間     望遠
焦点距離       9.05    12.80    25.91  
Fナンバー      2.06     3.85     5.00  
半画角（度）  36.06    31.68    16.96  
レンズ全長    49.34    47.56    54.21  
BF             7.27     6.78     5.55  
d 4           16.79     9.89     1.53  
d 6            0.00     0.48     0.79  
d15            6.39    11.52    27.45  
d17            4.90     4.41     3.18  
レンズ群データ
群  始面    焦点距離  
1    1     -18.67     
2    7      16.03     
3   16      27.14     
接合レンズGRb2の焦点距離
f2bimg   40.18
【手続補正１３】
【補正対象書類名】明細書
【補正対象項目名】００８０
【補正方法】変更
【補正の内容】
【００８０】
各種データ
ズーム比     3.37 
広角     中間     望遠
焦点距離      10.36    14.32    34.94  
Fナンバー      2.06     3.56     5.00  
半画角（度）  32.44    28.88    12.74  
レンズ全長    48.40    47.05    57.59  
BF             7.64     6.94     5.11  
d 4           16.50    10.58     1.32  
d 6            0.00     0.18    -0.03  
d15            5.86    10.95    32.78  
d17            5.26     4.56     2.73  
群  始面    焦点距離 レンズ群データ
1    1     -20.35     
2    7      16.01     
3   16      29.05      
接合レンズGRb2の焦点距離
f2bimg   75.99
【手続補正１４】
【補正対象書類名】明細書
【補正対象項目名】００８３
【補正方法】変更
【補正の内容】
【００８３】
各種データ
ズーム比     2.87 
広角     中間     望遠
焦点距離       9.32    12.60    26.74  
Fナンバー      2.06     2.50     5.00  
半画角（度）  35.24    32.09    16.46  
レンズ全長    48.63    47.48    55.22  
BF             7.68     7.13     6.42  
d 4           16.81    11.62     1.90  
d 6            0.00     0.00     1.33  
d15            6.09    10.67    27.51  
d17            5.32     4.77     4.06  
レンズ群データ
群  始面    焦点距離  
1    1     -17.91     
2    7      15.53     
3   16      29.61     
接合レンズGRb2の焦点距離
f2bimg   43.27